(57)【要約】  本発明は、信号受信方法及び装置、通信デバイスを開示する。前記方法は、受信アンテナは信号を受信して、周波数選択フィルタに出力するステップと、周波数選択フィルタは、異なるバンドの信号を対応する送信ブランチに出力するステップと、送信ブランチは、順次に接続された利得可変増幅器及び雑音抑圧フィルタによって信号に対して処理した後、合波器に出力するステップと、合波器は、各送信ブランチの入力信号に対して処理した後、ＲＦサンプラに出力するステップと、ＲＦサンプラは合波器を処理してからデバイス内の信号処理デバイスに出力するステップとを含む。
2018524884.tif 000002
【特許請求の範囲】
【請求項１】
受信アンテナはマルチバンド信号を受信して、周波数選択フィルタに出力するステップと、
前記周波数選択フィルタは、異なるバンドの信号を対応する送信ブランチにそれぞれ出力するステップと、
前記送信ブランチは、順次に接続された利得可変増幅器及び雑音抑圧フィルタによって前記信号に対して利得処理及び雑音抑圧処理を行った後、合波器に出力するステップと、
前記合波器は、複数の送信ブランチの出力信号を合波した後、ＲＦサンプラに出力するステップと、
前記ＲＦサンプラは、前記合波器から出力されたマルチバンドＲＦ信号をベースバンド信号に変換するステップと
を含む
信号受信方法。
【請求項２】
前記送信ブランチは、低雑音増幅器をさらに含み、
前記周波数選択フィルタの出力信号は、前記低雑音増幅器によって低雑音電力の増幅を行った後、前記利得可変増幅器に出力される
請求項１に記載の信号受信方法。
【請求項３】
前記バンドは二つであり、
前記周波数選択フィルタは、受信分波器周波数選択フィルタを含み、
前記送信ブランチの数は２である
請求項１に記載の信号受信方法。
【請求項４】
前記信号に対して雑音抑圧処理を行うステップは、
各送信ブランチ内における前記雑音抑圧フィルタの抑圧度を計算し制御することによって、前記送信ブランチ内の対応するバンド以外の他のバンドの雑音を抑圧するステップを含む
請求項１に記載の信号受信方法。   
【請求項５】
前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
前記第１の送信ブランチにおける雑音抑圧フィルタの、第２のバンドの周波数範囲内における抑圧度Ａ１は、Ａ１＝ＮＦ１−ＮＦ２＋Ｘ２＋Ｙ１であり、
前記第２の送信ブランチにおける雑音抑圧フィルタの、第１のバンドの周波数範囲内における抑圧度Ａ２は、Ａ２＝ＮＦ２−ＮＦ１＋Ｘ１＋Ｙ２であり、
ここで、ＮＦ１は、第１のバンドリンクの雑音係数であり、第１のバンドが塞がれた場合、ＮＦ１は第１のバンドの利得が減衰された後のリンクの雑音係数であり；ＮＦ２は、第２のバンドリンクの雑音係数であり、第２のバンドが塞がれた場合、ＮＦ２は第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は、０より大きい予め設定された値である
請求項４に記載の信号受信方法。
【請求項６】
前記信号に対して利得処理を行うステップは、
前記ＲＦサンプラの出力電力、及び各送信ブランチの出力電力に基づき、各送信ブランチ内における前記利得可変増幅器の減衰量を計算し制御して、前記ＲＦサンプラの出力電力を利得コールバック閾値と減衰閾値との間に存在させ、且つ各送信ブランチの出力電力の差を予め設定された値より小さくするステップを含む
請求項１〜５のいずれか１項に記載の信号受信方法。
【請求項７】
受信アンテナと、周波数選択フィルタと、少なくとも二つの送信ブランチと、合波器及びＲＦサンプラを含み、前記送信ブランチは順次に接続された利得可変増幅器及び雑音抑圧フィルタを含む信号受信装置において、
受信アンテナは、マルチバンド信号を受信して、周波数選択フィルタに出力するように構成され、
前記周波数選択フィルタの入力端は前記受信アンテナに接続され、前記周波数選択フィルタは出力バンドが異なる複数の出力端を含み、各出力端は対応する送信ブランチの入力端に接続され、前記周波数選択フィルタは、異なるバンドの信号を対応する送信ブランチにそれぞれ出力するように構成され、
前記利得可変増幅器は、信号に対して利得処理を行うように構成され、
前記雑音抑圧フィルタは、信号に対して雑音抑圧処理を行うように構成され、
前記送信ブランチの出力端は前記合波器の入力端に接続され、前記合波器の出力端は前記ＲＦサンプラの入力端に接続され、前記合波器は、複数の送信ブランチの出力信号を合波した後、ＲＦサンプラに出力するように構成され、
前記ＲＦサンプラは、前記合波器から出力されたマルチバンドＲＦ信号をベースバンド信号に変換するように構成される
信号受信装置。
【請求項８】
前記送信ブランチは、低雑音増幅器をさらに含み、
前記低雑音増幅器の入力端は前記周波数選択フィルタの出力端に接続され、前記低雑音増幅器の出力端は前記利得可変増幅器の入力端に接続され、
前記低雑音増幅器は、周波数選択フィルタの出力信号に対して低雑音電力の増幅を行うように構成される
請求項７に記載の信号受信装置。
【請求項９】
前記バンドは二つであり、前記周波数選択フィルタは、受信分波器周波数選択フィルタを含み、前記送信ブランチの数は２である
請求項７に記載の信号受信装置。
【請求項１０】
計算モジュールをさらに含み、
前記計算モジュールは、各送信ブランチ内における前記雑音抑圧フィルタの抑圧度を計算し制御することによって、前記送信ブランチ内の対応するバンド以外の他のバンドを抑制するように構成される
請求項７に記載の信号受信装置。
【請求項１１】
前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
計算モジュールは、
前記第１の送信ブランチにおける雑音抑圧フィルタの、第２のバンドの周波数範囲内における抑圧度Ａ１を、Ａ１＝ＮＦ１−ＮＦ２＋Ｘ２＋Ｙ１に制御し、
前記第２の送信ブランチにおける雑音抑圧フィルタの、第１のバンドの周波数範囲内における抑圧度Ａ２を、Ａ２＝ＮＦ２−ＮＦ１＋Ｘ１＋Ｙ２に制御するように構成され、
ここで、ＮＦ１は、第１のバンドリンクの雑音係数であり、第１のバンドが塞がれた場合、ＮＦ１は第１のバンドの利得が減衰された後のリンクの雑音係数であり；ＮＦ２は第２のバンドリンクの雑音係数であり、第２のバンドが塞がれた場合、ＮＦ２は第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は、０より大きい予め設定された値である
請求項１０に記載の信号受信装置。
【請求項１２】
制御モジュールをさらに含み、
前記制御モジュールは、前記ＲＦサンプラの出力電力及び各送信ブランチの出力電力に基づき、各送信ブランチ内における前記利得可変増幅器の減衰量を計算し制御して、前記ＲＦサンプラの出力電力を利得コールバック閾値と減衰閾値との間に存在させ、且つ各送信ブランチの出力電力の差を予め設定された値より小さくするように構成される
請求項７〜１１のいずれか１項に記載の信号受信装置。
【請求項１３】
請求項７〜１２のいずれか１項に記載の信号受信装置を含む
通信デバイス。
【発明の詳細な説明】
【技術分野】
【０００１】
本発明は、信号受信分野に関するものの、これに限定されない。
【背景技術】
【０００２】
無線通信システムのマルチバンド及び一体化に対する要求が高まることに伴い、基地局システムは、小型、大帯域幅およびマルチバンドの傾向に向かって発展している。マルチバンド受信機に対する要求は、従来技術において以下のように実現されている。即ち、図１に示すように、中間周波利得可変増幅器の帯域幅と受信ＡＤＣ（Ａｎａｌｏｇ−ｔｏ−Ｄｉｇｉｔａｌ  Ｃｏｎｖｅｒｔｅｒ、アナログ／デジタル変換器）の帯域幅の制限を受け、且つバンドごとの送信ブランチの利得を独立に制御する要求があるため、単一バンドの送信ブランチを一路複製することで実現していた。当該方法によれば、使用する素子の数、占有面積、及び消費電力が大きくなり、基地局の小型化要求に満たされないという問題がある。このため、従来技術のマルチバンド受信方法は、その適用性に乏しい。
【発明の概要】
【発明が解決しようとする課題】
【０００３】
以下は、本明細書で詳細に説明する主題の概要である。本概要は、特許請求の範囲を限定するためのものではない。
【０００４】
本発明は、従来技術の適用性に乏しい問題を解決するための信号受信方法及び装置、通信デバイスを提供する。
【課題を解決するための手段】
【０００５】
本発明は、信号受信方法を提供し、前記方法は、
受信アンテナはマルチバンド信号を受信して、周波数選択フィルタに出力するステップと、
前記周波数選択フィルタは、異なるバンドの信号を対応する送信ブランチにそれぞれ出力するステップと、
前記送信ブランチは、順次に接続された利得可変増幅器及び雑音抑圧フィルタによって信号に対して利得処理及び雑音抑圧処理を行った後、合波器に出力するステップと、
前記合波器は、複数の送信ブランチの出力信号を合波した後、ＲＦサンプラに出力するステップと、
前記ＲＦサンプラは、前記合波器から出力されたマルチバンドＲＦ信号をベースバンド信号に変換するステップと
を含む。
【０００６】
選択的に、前記送信ブランチは、低雑音増幅器をさらに含み、前記周波数選択フィルタの出力信号は、前記低雑音増幅器によって低雑音電力の増幅を行った後、前記利得可変増幅器に出力される。
【０００７】
選択的に、前記バンドは二つであり、前記周波数選択フィルタは、受信分波器周波数選択フィルタを含み、前記送信ブランチの数は２である。
【０００８】
選択的に、前記信号に対して雑音抑圧処理を行うステップは、
各送信ブランチ内における前記雑音抑圧フィルタの抑圧度を計算し制御することによって、前記送信ブランチ内の対応するバンド以外の他のバンドの雑音を抑圧するステップを含む。
【０００９】
選択的に、前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
前記第１の送信ブランチにおける雑音抑圧フィルタの、第２のバンドの周波数範囲内における抑圧度Ａ１は、Ａ１＝ＮＦ１−ＮＦ２＋Ｘ２＋Ｙ１であり、
前記第２の送信ブランチにおける雑音抑圧フィルタの、第１のバンドの周波数範囲内における抑圧度Ａ２は、Ａ２＝ＮＦ２−ＮＦ１＋Ｘ１＋Ｙ２であり、
ここで、ＮＦ１は、第１のバンドリンクの雑音係数であり、第１のバンドが塞がれた場合、ＮＦ１は第１のバンドの利得が減衰された後のリンクの雑音係数であり；ＮＦ２は、第２のバンドリンクの雑音係数であり、第２のバンドが塞がれた場合、ＮＦ２は第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は、０より大きい予め設定された値である。
【００１０】
選択的に、前記信号に対して利得処理を行うステップは、
前記ＲＦサンプラの出力電力、及び各送信ブランチの出力電力に基づき、各送信ブランチ内における前記利得可変増幅器の減衰量を計算し制御して、前記ＲＦサンプラの出力電力を利得コールバック閾値と減衰閾値との間に存在させ、且つ各送信ブランチの出力電力の差を予め設定された値より小さくするステップを含む。
【００１１】
さらに、本発明は、信号受信装置を提供し、
受信アンテナと、周波数選択フィルタと、少なくとも二つの送信ブランチと、合波器及びＲＦサンプラを含み、前記送信ブランチは順次に接続された利得可変増幅器及び雑音抑圧フィルタを含む信号受信装置において、
受信アンテナは、マルチバンド信号を受信して、周波数選択フィルタに出力するように構成され、
前記周波数選択フィルタの入力端は前記受信アンテナに接続され、前記周波数選択フィルタは出力バンドが異なる複数の出力端を含み、各出力端は対応する送信ブランチの入力端に接続され、前記周波数選択フィルタは、異なるバンドの信号を対応する送信ブランチにそれぞれ出力するように構成され、
前記利得可変増幅器は、信号に対して利得処理を行うように構成され、
前記雑音抑圧フィルタは、信号に対して雑音抑圧処理を行うように構成され、
前記送信ブランチの出力端は前記合波器の入力端に接続され、前記合波器の出力端は前記ＲＦサンプラの入力端に接続され、前記合波器は、複数の送信ブランチの出力信号を合波した後、ＲＦサンプラに出力するように構成され、
前記ＲＦサンプラは、前記合波器から出力されたマルチバンドＲＦ信号をベースバンド信号に変換するように構成される。
【００１２】
選択的に、前記送信ブランチは、低雑音増幅器をさらに含み、前記低雑音増幅器の入力端は前記周波数選択フィルタの出力端に接続され、前記低雑音増幅器の出力端は前記利得可変増幅器の入力端に接続され、前記低雑音増幅器は、周波数選択フィルタの出力信号に対して低雑音電力の増幅を行うように構成される。
【００１３】
選択的に、前記バンドは二つであり、前記周波数選択フィルタは、受信分波器周波数選択フィルタを含み、前記送信ブランチの数は２である。
【００１４】
選択的に、計算モジュールをさらに含み、前記計算モジュールは、各送信ブランチ内における前記雑音抑圧フィルタの抑圧度を計算し制御することによって、前記送信ブランチ内の対応するバンド以外の他のバンドを抑制するように構成される。
【００１５】
選択的に、前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
計算モジュールは、
前記第１の送信ブランチにおける雑音抑圧フィルタの、第２のバンドの周波数範囲内における抑圧度Ａ１を、Ａ１＝ＮＦ１−ＮＦ２＋Ｘ２＋Ｙ１に制御し、
前記第２の送信ブランチにおける雑音抑圧フィルタの、第１のバンドの周波数範囲内における抑圧度Ａ２を、Ａ２＝ＮＦ２−ＮＦ１＋Ｘ１＋Ｙ２に制御するように構成され、
ここで、ＮＦ１は、第１のバンドリンクの雑音係数であり、第１のバンドが塞がれた場合、ＮＦ１は第１のバンドの利得が減衰された後のリンクの雑音係数であり；ＮＦ２は第２のバンドリンクの雑音係数であり、第２のバンドが塞がれた場合、ＮＦ２は第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は、０より大きい予め設定された値である。
【００１６】
選択的に、前記信号受信装置は、制御モジュールをさらに含み、前記制御モジュールは、前記ＲＦサンプラの出力電力及び各送信ブランチの出力電力に基づき、各送信ブランチ内における前記利得可変増幅器の減衰量を計算し制御して、前記ＲＦサンプラの出力電力を利得コールバック閾値と減衰閾値との間に存在させ、且つ各送信ブランチの出力電力の差を予め設定された値より小さくするように構成される。
【００１７】
さらに、本発明は、通信デバイスを提供し、当該通信デバイスは、前記信号受信装置を含む。
【発明の効果】
【００１８】
本発明の実施例によれば、マルチバンドにおいて同時に受信可能な信号受信方法を提供し、送信ブランチが互いに独立しているため、一方のバンド内にブロッキング信号が存在する場合でも、他方のバンドにより受信感度性能を達成することができ、アーキテクチャが簡単で、消費電力とＰＣＢの占有面積が低く、基地局の小型化に寄与し、マルチバンド受信技術の適用性を向上させる。
【００１９】
図面及び詳細な説明を閲読して理解した上に、本発明の他の側面を理解することができる。
【図面の簡単な説明】
【００２０】
【図１】従来技術の信号受信装置の構成を示す模式図である。
【図２】本発明の第１の実施例に係る信号受信装置の構成を示す模式図である。
【図３】本発明の第２の実施例に係る信号受信方法を示すフローチャートである。
【図４】本発明の第３の実施例に係る信号受信装置の構成を示す模式図である。
【図５】本発明の第３の実施例に係る信号受信方法を示すフローチャートである。
【発明を実施するための形態】
【００２１】
以下、図面に基づき本発明の実施形態を解釈して説明する。
第１の実施例：
【００２２】
図２は、本発明の第１の実施例に係る信号受信装置の構成を示す模式図である。図２に示すように、本実施例において、本発明の実施例に係る信号受信装置１は、受信アンテナ１１と、周波数選択フィルタ１２と、少なくとも２つの送信ブランチ１３と、合波器１４及びＲＦ（Ｒａｄｉｏ  Ｆｒｅｑｕｅｎｃｙ）サンプラ１５を含み；送信ブランチ１３のそれぞれは、順次に接続された利得可変増幅器１３１及び雑音抑圧フィルタ１３２を含み；周波数選択フィルタ１２は、入力端が受信アンテナ１１に接続され、且つ出力バンドが異なる複数の出力端を含み、各出力端は対応する送信ブランチ１３の入力端に接続され；送信ブランチ１３の出力端は合波器１４の入力端に接続され；合波器１４の出力端はＲＦサンプラ１５の入力端に接続され、ＲＦサンプラ１５の出力端はデバイス内の信号処理装置に接続される。
【００２３】
ここで、前記受信アンテナ１１は、マルチバンド信号を受信して、周波数選択フィルタ１２に出力するように構成され、
前記周波数選択フィルタ１２は、異なるバンドの信号を対応する送信ブランチ１３にそれぞれ出力するように構成され、
前記利得可変増幅器１３１は、信号に対して利得処理を行うように構成され、
前記雑音抑圧フィルタ１３２は、信号に対して雑音抑圧処理を行うように構成され、
前記合波器１４は、複数の送信ブランチの出力信号を合波した後、ＲＦサンプラ１５に出力するように構成され、
前記ＲＦサンプラ１５は、前記合波器１４から出力されたマルチバンドＲＦ信号をベースバンド信号に変換するように構成される。
【００２４】
一実施例において、上記実施例における送信ブランチ１３は、低雑音増幅器をさらに含み、低雑音増幅器の入力端は周波数選択フィルタ１２の出力端に接続され、低雑音増幅器の出力端は利得可変増幅器１３１の入力端に接続され、前記低雑音増幅器は、周波数選択フィルタ１２の出力信号に対して低雑音電力の増幅を行うように構成される。
【００２５】
一実施例において、上記実施例におけるバンドは二つであり、周波数選択フィルタ１２は、受信分波器周波数選択フィルタを含み、送信ブランチ１３の数は２である。
【００２６】
一実施例において、上記実施例における信号受信装置１は、計算モジュールをさらに含み、計算モジュールは、各送信ブランチ１３内の雑音抑圧フィルタの抑圧度を計算して制御することによって、前記送信ブランチ内の対応するバンド以外の他のバンドの雑音を抑圧するように構成される。
【００２７】
一実施例において、前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
計算モジュールは、
前記第１の送信ブランチにおける雑音抑圧フィルタの、第２のバンドの周波数範囲内における抑圧度Ａ１を、Ａ１＝ＮＦ１−ＮＦ２＋Ｘ２＋Ｙ１に制御し、
前記第２の送信ブランチにおける雑音抑圧フィルタの、第１のバンドの周波数範囲内における抑圧度Ａ２を、Ａ２＝ＮＦ２−ＮＦ１＋Ｘ１＋Ｙ２に制御するように構成され、
ここで、ＮＦ１は、第１のバンドリンクの雑音係数であり、第１のバンドが塞がれた場合、ＮＦ１は、第１のバンドの利得が減衰された後のリンクの雑音係数であり；ＮＦ２は、第２のバンドリンクの雑音係数であり、第２のバンドが塞がれた場合、ＮＦ２は、第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は０より大きい予め設定された値である。
【００２８】
一実施例において、上記実施例における信号受信装置１は、制御モジュールをさらに含み、制御モジュールは、ＲＦサンプラ１５の出力電力及び各送信ブランチ１３の出力電力に基づき、各送信ブランチ１３内の利得可変増幅器１３１の減衰量を計算し制御して、前記ＲＦサンプラ１５の出力電力を利得コールバック閾値と減衰閾値との間に存在させ、且つ各送信ブランチ１３の出力電力の差を予め設定された値より小さくするように構成される。
【００２９】
相応的に、本発明の実施例によれば、通信デバイスをさらに提供し、当該通信デバイスは、本発明の実施例に係る信号受信装置を含む。一般的に、通信デバイスは基地局等デバイスである。
第２の実施例：
【００３０】
図３は、本発明の第２の実施例に係る信号受信方法を示すフローチャートである。図３に示すように、本実施例において、本発明の実施例に係る信号受信方法は、以下のステップを含む。
【００３１】
Ｓ３０１：受信アンテナは、マルチバンド信号を受信して、周波数選択フィルタに出力する。
【００３２】
Ｓ３０２：周波数選択フィルタは、異なるバンドの信号を対応する送信ブランチにそれぞれ出力する。
【００３３】
Ｓ３０３：送信ブランチは、順次に接続された利得可変増幅器及び雑音抑圧フィルタによって、信号に対して利得処理と雑音抑圧処理を行った後、合波器に出力する。
【００３４】
Ｓ３０４：合波器は、複数の送信ブランチの出力信号を合波した後、ＲＦサンプラに出力する。
【００３５】
Ｓ３０５：ＲＦサンプラは、前記合波器から出力されたマルチバンドＲＦ信号をベースバンド信号に変換する。
【００３６】
一実施例において、上記実施例における送信ブランチは、低雑音増幅器をさらに含み、周波数選択フィルタの出力信号は低雑音増幅器によって低雑音電力の増幅を行った後、利得可変増幅器に出力される。
【００３７】
一実施例において、上記実施例における前記バンドは二つであり、周波数選択フィルタは、受信分波器周波数選択フィルタを含み、送信ブランチの数は２である。
【００３８】
一実施例において、信号に対して雑音抑圧処理を行うステップは、各送信ブランチ内の前記雑音抑圧フィルタの抑圧度を計算し制御することによって、前記送信ブランチ内の対応するバンド以外の他のバンドの雑音を抑圧するステップを含む。
【００３９】
一実施例において、前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
前記第１の送信ブランチにおける雑音抑圧フィルタの、第２のバンドの周波数範囲内における抑圧度Ａ１は、Ａ１＝ＮＦ１−ＮＦ２＋Ｘ２＋Ｙ１であり、
前記第２の送信ブランチにおける雑音抑圧フィルタの、第１のバンドの周波数範囲内における抑圧度Ａ２は、Ａ２＝ＮＦ２−ＮＦ１＋Ｘ１＋Ｙ２であり、
ここで、ＮＦ１は、第１のバンドリンクの雑音係数であり、第１のバンドが塞がれた場合、ＮＦ１は第１のバンドの利得が減衰された後のリンクの雑音係数であり；ＮＦ２は、第２のバンドリンクの雑音係数であり、第２のバンドが塞がれた場合、ＮＦ２は、第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は、０より大きい予め設定された値である。
【００４０】
一実施例において、前記信号に対して利得処理を行うステップは、
前記ＲＦサンプラの出力電力及び各送信ブランチの出力電力に基づき、各送信ブランチ内の前記利得可変増幅器の減衰量を計算し制御して、前記ＲＦサンプラの出力電力を利得コールバック閾値と減衰閾値との間に存在させ、且つ各送信ブランチの出力電力の差を予め設定された値より小さくするステップを含む。
【００４１】
以下、応用シナリオに関連して本発明の実施例をさらに詳細に説明する。
第３の実施例：
【００４２】
本実施例は、適用シナリオに関連して本発明をさらに詳細に説明する。
【００４３】
図４は、本発明の第３の実施例に係る信号受信装置の構成を示す模式図である。図４に示すように、本実施例において、本発明の実施例に係る信号受信装置は、
受信アンテナ１１と、周波数選択フィルタ１２と、少なくとも２つの送信ブランチ１３と、合波器１４と、ＲＦサンプラ１５と、計算モジュール１６及び制御モジュール１７を含み、送信ブランチ１３のそれぞれは、順次に接続された低雑音増幅器１３３、利得可変増幅器１３１及び雑音抑圧フィルタ１３２を含み；周波数選択フィルタ１２は、入力端が受信アンテナ１１に接続され、且つ出力バンドが異なる複数の出力端を含み、各出力端は対応する送信ブランチ１３の入力端に接続され；送信ブランチ１３の出力端は合波器１４の入力端に接続され；合波器１４の出力端はＲＦサンプラ１５の入力端に接続され、ＲＦサンプラ１５の出力端はデバイス内の信号処理装置に接続される。
【００４４】
図５は、本発明の第３の実施例に係る信号受信方法の構成を示す模式図である。図５に示すように、本実施例において、本発明の実施例に係る信号受信方法は、以下のステップを含む。
【００４５】
Ｓ５０１：周波数選択フィルタは、受信アンテナによって受信されたダブルバンド信号を対応する送信ブランチにそれぞれ分離する。
【００４６】
Ｓ５０２：低雑音増幅器は、受信された二つのバンドの小信号に対して低雑音電力の増幅をそれぞれ行う。
【００４７】
Ｓ５０３：利得可変増幅器は、制御モジュールの制御の下で、信号に対して利得処理を行う。
【００４８】
ここで、利得可変増幅器は、二つのバンド受信機の利得をそれぞれ調整し、大きいブロッキング信号が入力された場合は利得減衰を行い、感度の小さい信号が入力された場合は利得増幅を行う。
【００４９】
本ステップは、以下のサブステップを含むことができる。
【００５０】
５１−１：制御モジュールは、ＲＦサンプラＲＦＡＤＣの飽和電力出力電力レベルを計算し、ここで、電力レベルは２つのバンドの電力の合計を指し、システム信号のピーク対平均比に基づいて、利得可変増幅器ＡＧＣの減衰閾値及び減衰ステッピングを設定する。
【００５１】
５１−２：制御モジュールは、ＰＤ１検出点から出力された電力レベルが減衰閾値に達したか否かを読み取り、達した場合には、５１−３を実行し、そうでない場合には、５１−２を再実行する。
【００５２】
５１−３：ＰＤ２の検出点とＰＤ３の検出点の電力レベルを読み取り、ＰＤ２の検出点の電力がＰＤ３の検出点の電力より＋Ｚだけ大きいか否かを判断し、ここで、Ｚはシステム設計に従って適切な値を選択し、大きい場合には、５１−４を実行し、そうでない場合には、５１−５を実行する。
【００５３】
５１−４：減衰ステッピングに従って、バンド１のリンクでの利得可変増幅器を減衰させた後、５１−２を実行して、減衰閾値に達したか否かを検出する。
【００５４】
５１−５：ＰＤ３の検出点の電力がＰＤ２の検出点の電力より＋Ｚだけ大きいか否かを判断し、大きい場合には、５１−６を実行し、そうでない場合には、５１−７を実行する。
【００５５】
５１−６：減衰ステッピングに従って、バンド２のリンクでの利得可変増幅器を減衰させた後、５１−２を実行して、減衰閾値に達したか否かを検出する。
【００５６】
５１−7：減衰ステッピングに従って、二つのバンドのリンクでの利得可変増幅器をそれぞれ減衰させた後、５１−２を実行して、減衰閾値に達したか否かを検出する。
【００５７】
相応的に、本ステップは利得コールバックフローを更に含む。即ち、
５２−１：システム要求に従って、適切な利得コールバック閾値を設定するステップと、
５２−２：ＰＤ１の検出点の電力を読み取って、当該電力が利得コールバック閾値に達したか否かを判断し、達した場合には、５２−３を実行し、そうでない場合には、５２−２を再実行するステップと、
５２−３：ＰＤ２の検出点の電力がＰＤ３の検出点の電力より＋Ｚだけ大きいか否かを判断し、大きい場合には、５２−４を実行し、そうでない場合には、５２−７を実行するステップと、
５２−４：バンド２が所在するリンクの減衰量が０ｄＢであるか否かを判断し、０ｄＢである場合には、５２−５を実行し、そうでない場合には、５２−６を実行するステップと、
５２−５：減衰ステッピングをコールバックステッピングとしてバンド１のリンクでの利得をコールバックし、その後５２−３を再実行するステップと、
５２−６：減衰ステッピングをコールバックステッピングとしてバンド２のリンクでの利得をコールバックし、その後５２−３を再実行するステップと、
５２−７：ＰＤ３の検出点の電力がＰＤ２の検出点の電力より＋Ｚだけ大きいか否かを判断し、大きい場合には、５２−８を実行し、そうでない場合には、５２−１１を実行するステップと、
５２−８：バンド１が所在するリンクの減衰量が０ｄＢであるか否かを判断し、０ｄＢである場合には、５２−９を実行し、そうでない場合には、５２−１０を実行するステップと、
５２−９：減衰ステッピングをコールバックステッピングとしてバンド２のリンクでの利得をコールバックし、その後５２−３を再実行するステップと、
５２−１０：減衰ステッピングをコールバックステッピングとしてバンド１のリンクでの利得をコールバックし、その後５２−３を再実行するステップと、
５２−１１：減衰ステッピングをコールバックステッピングとして二つのバンドのリンクでの利得をそれぞれコールバックし、その後５２−３を再実行するステップと
を含む。
【００５８】
Ｓ５０４：雑音抑圧フィルタは、計算モジュールの制御の下で、雑音抑圧フィルタ処理を行う。
【００５９】
計算モジュールは、ＲＦＡＤＣの低雑音性能によって、２つのバンドの送信ブランチに必要な感度での最小利得をそれぞれ計算し；ＲＦＡＤＣの飽和電力レベルおよび２つのバンドに要求されるエアインターフェイス帯域内のブロッキングレベルに従って、２つのバンドの送信ブランチに必要なブロッキングでの最大利得をそれぞれ計算し；２つのバンドのブロッキングされた場合の利得減衰量に要求される最大値を抽出する。
【００６０】
バンド２のブロッキングレベルの下で、送信ブランチの利得減衰量がＸ２であり、バンド１の帯域内における非ブロッキング入力レベルが感度信号電力であり、バンド１のリンクの減衰量無し雑音係数がＮＦ１であり、利得がＧ１であり、バンド２の利得がＸだけ減衰された後のリンクの雑音係数がＮＦ２であり、利得がＧ２であり；バンド１のフィルタによるバンド２の周波数範囲内における抑圧度がＡ１(プラス)であると定義し、バンド２のフィルタによるバンド１の周波数範囲内における抑圧度がＡ２(プラス)であると定義し；バンド１が所在するアナログリンクによる、合波器前のバンド２の周波数範囲内における熱雑音レベルである−１７４ｄＢｍ／Ｈｚ＋ＮＦ１＋Ｇ１−Ａ１を計算し、バンド２が所在するアナログリンクによる、合波器前のバンド２の周波数範囲内における熱雑音レベルである−１７４ｄＢｍ／Ｈｚ＋ＮＦ２＋Ｇ２−Ｘ２を計算し、前者の熱雑音が後者の熱雑音より所定量Ｙ１（プラス値）だけ小さい場合に、オーバーレイした後の総雑音は、バンド２が所在するアナログリンクによるバンド２の範囲内における熱雑音と同等になり、即ち、
−１７４ｄＢｍ／Ｈｚ＋ＮＦ１＋Ｇ１−Ａ１＝−１７４ｄＢｍ／Ｈｚ＋ＮＦ２＋Ｇ２−Ｘ２−Ｙ１。
この場合、得られた抑圧度要求は、Ａ１＝ＮＦ１−ＮＦ２＋Ｘ２＋Ｙ１である。
【００６１】
また、バンド１のブロッキングレベルの下で、送信ブランチの利得減衰量がＸ１であり、バンド２の帯域内における非ブロッキング入力レベルが感度信号電力であり、バンド２のリンクの減衰量無し雑音係数がＮＦ２であり、利得がＧ２であり、バンド１の利得がＸ１だけ減衰された後のリンクの雑音係数がＮＦ１であり、利得がＧ１であり；バンド１のフィルタによる、バンド２の周波数範囲内における抑圧度はＡ１(プラス)であると定義し、バンド２のフィルタによる、バンド１の周波数範囲内における抑圧度はＡ２(プラス)であると定義し；バンド２が所在するアナログリンクによる、合波器前のバンド１の周波数範囲内における熱雑音レベルである−１７４ｄＢｍ／Ｈｚ＋ＮＦ２＋Ｇ２−Ａ２を計算し、バンド１が所在するアナログリンクによる、合波器前のバンド１の周波数範囲内における熱雑音レベルである−１７４ｄＢｍ／Ｈｚ＋ＮＦ１＋Ｇ１−Ｘ１を計算し、前者の熱雑音が後者の熱雑音より所定量Ｙ２（プラス値）だけ小さい場合に、オーバーレイした後の総雑音は、バンド２が所在するアナログリンクのバンド２の範囲内における熱雑音と同等になり、即ち、
−１７４ｄＢｍ／Ｈｚ＋ＮＦ２＋Ｇ２−Ａ２＝−１７４ｄＢｍ／Ｈｚ＋ＮＦ１＋Ｇ１−Ｘ１−Ｙ２。
この場合、得られた抑圧度は、Ａ２＝ＮＦ２−ＮＦ１＋Ｘ１＋Ｙ２である。
【００６２】
上記のＹ１とＹ２は同じであってもよく、異なっていてもよい。
【００６３】
抑圧度Ａ１およびＡ２を計算することにより、抑圧度の要求を満たす雑音抑圧フィルタを選択する。
【００６４】
Ｓ５０５：合波器は、２つのバンドの信号を合波した後、ＲＦサンプラに出力する。
【００６５】
Ｓ５０６：ＲＦサンプラは、大帯域のマルチバンドにおけるＲＦサンプリングを実現し、ＲＦ信号をベースバンド信号に直接に変換する。
【００６６】
本実施例において、雑音抑制フィルタは、バンド１の受信送信ブランチでバンド２の周波数範囲内の雑音を一定のレベルに抑えると共に、バンド２の受信送信ブランチでバンド１の周波数範囲内の雑音を一定のレベルに抑える。バンド１内にブロッキング信号がある場合、ＲＦＡＤＣデバイスの電力のオーバーフローを避けるために、バンド１の受信機の利得は利得減衰を行い、また、バンド２内のブロッキングがない受信機の利得は、やはり最大利得を維持し、これにより、利得可変増幅器を介して出力された低雑音レベルが異なり、二つのバンドの低雑音レベルの差は、リンクの利得差及びＮＦに関連し、合波器を介した後の雑音レベルは合計値である。二つのブランチの雑音電力が大きく相違する場合、必ず雑音レベルの低い送信ブランチのＳＮＲ（信号対雑音比）に影響するため、雑音抑圧フィルタは合波器の前に配置される。
【００６７】
当業者であれば、上記実施例の全部または一部のステップは、コンピュータープログラムのフローにより実現できることを理解すべきである。前記コンピュータープログラムは、コンピューター読み取り可能な記憶媒体に記憶されることができ、前記コンピュータープログラムは対応するハードウェアプラットフォーム（例えば、システム、デバイス、装置、設備等）で実行され、実行する際に、方法実施例のステップ中の一つまたは一つ以上の組み合わせを含むことができる。
【００６８】
選択的に、上記実施例の全部又は一部のステップは、集積回路を使用して実現することもでき、これらのステップは、それぞれ１つの集積回路モジュールとして作成されてもよく、又はそれらの中の複数のモジュール又はステップを単一の集積回路モジュールに作成して実現することもできる。
【００６９】
上記実施例における装置／機能モジュール／機能ユニットは、汎用の計算装置を採用して実現でき、これらは単一の計算装置に集中されてもよく、複数の計算装置からなるネットワーク上に分散されてもよい。
【００７０】
上記実施例における装置／機能モジュール／機能ユニットがソフトウェア機能モジュールの形式で実現されて、独立した製品として販売又は使用される場合、１つのコンピューター読み取り可能な記録媒体に記憶されてもよい。当該コンピューター読み取り可能な記録媒体は、読み取り専用メモリ、磁気ディスク又は光ディスク等であってもよい。
【産業上の利用可能性】
【００７１】
本発明の実施例の実施により、マルチバンドにおける受信を同時に実現することができ、かつ送信ブランチが互いに独立しているため、一方のバンド内にブロッキング信号が存在しても、他方のバンドにより受信感度性能を達成することができる。また、アーキテクチャが簡単で、消費電力とＰＣＢの占有面積が低く、基地局の小型化に寄与し、マルチバンド受信技術の適用性を向上させる。
【図１】
2018524884.tif 000003
【図２】
2018524884.tif 000004
【図３】
2018524884.tif 000005
【図４】
2018524884.tif 000006
【図５】
2018524884.tif 000007
【手続補正書】
【提出日】平成29年12月13日(2017.12.13)
【手続補正２】
【補正対象書類名】明細書
【補正対象項目名】０００４
【補正方法】変更
【補正の内容】
【０００４】
本発明は、従来技術の適用性に乏しい問題を解決するための信号受信方法及び装置、通信デバイス、プログラムならびに記録媒体を提供する。
【手続補正３】
【補正対象書類名】明細書
【補正対象項目名】００１７
【補正方法】変更
【補正の内容】
【００１７】
さらに、本発明は、通信デバイスを提供し、当該通信デバイスは、前記信号受信装置を含む。
本発明の別の実施例によれば、プログラムが提供され、前記プログラムは、プロセッサに実行されることにより、信号受信方法を実現することを特徴とする。
本発明の別の実施例によれば、記録媒体が提供され、前記記録媒体には、上記のプログラムが記録されている。
【手続補正４】
【補正対象書類名】明細書
【補正対象項目名】００４４
【補正方法】変更
【補正の内容】
【００４４】
図５は、本発明の第３の実施例に係る信号受信方法を示すフローチャートである。図５に示すように、本実施例において、本発明の実施例に係る信号受信方法は、以下のステップを含む。
【手続補正５】
【補正対象書類名】明細書
【補正対象項目名】００６０
【補正方法】変更
【補正の内容】
【００６０】
バンド２のブロッキングレベルの下で、送信ブランチの利得減衰量がＸ２であり、バンド１の帯域内における非ブロッキング入力レベルが感度信号電力であり、バンド１のリンクの減衰量無し雑音係数がＮＦ１であり、利得がＧ１であり、バンド２の利得がＸだけ減衰された後のリンクの雑音係数がＮＦ２であり、利得がＧ２であり；バンド１のフィルタによるバンド２の周波数範囲内における抑圧度がＡ１(プラス)であると定義し、バンド２のフィルタによるバンド１の周波数範囲内における抑圧度がＡ２(プラス)であると定義し；バンド１が所在するアナログリンクによる、合波器前のバンド２の周波数範囲内における熱雑音レベルである−１７４ｄＢｍ／Ｈｚ＋ＮＦ１＋Ｇ１−Ａ１を計算し、バンド２が所在するアナログリンクによる、合波器前のバンド２の周波数範囲内における熱雑音レベルである−１７４ｄＢｍ／Ｈｚ＋ＮＦ２＋Ｇ２−Ｘ２を計算し、前者の熱雑音が後者の熱雑音より所定量Ｙ１（プラス値）だけ小さい場合に、オーバーレイした後の総雑音は、バンド２が所在するアナログリンクによるバンド２の範囲内における熱雑音と同等になり、即ち、
−１７４ｄＢｍ／Ｈｚ＋ＮＦ１＋Ｇ１−Ａ１＝−１７４ｄＢｍ／Ｈｚ＋ＮＦ２＋Ｇ２−Ｘ２−Ｙ１。
この場合、得られた抑圧度は、Ａ１＝ＮＦ１−ＮＦ２＋Ｘ２＋Ｙ１である。
【手続補正６】
【補正対象書類名】特許請求の範囲
【補正対象項目名】全文
【補正方法】変更
【補正の内容】
【特許請求の範囲】
【請求項１】
受信アンテナはマルチバンド信号を受信して、周波数選択フィルタに出力するステップと、
前記周波数選択フィルタは、異なるバンドの信号を対応する送信ブランチにそれぞれ出力するステップと、
前記送信ブランチは、順次に接続された利得可変増幅器及び雑音抑圧フィルタによって前記信号に対して利得処理及び雑音抑圧処理を行った後、合波器に出力するステップと、
前記合波器は、複数の送信ブランチの出力信号を合波した後、ＲＦサンプラに出力するステップと、
前記ＲＦサンプラは、前記合波器から出力されたマルチバンドＲＦ信号をベースバンド信号に変換するステップと
を含む
信号受信方法。
【請求項２】
前記送信ブランチは、低雑音増幅器をさらに含み、
前記周波数選択フィルタの出力信号は、前記低雑音増幅器によって低雑音電力の増幅を行った後、前記利得可変増幅器に出力される
請求項１に記載の信号受信方法。
【請求項３】
前記バンドは二つであり、
前記周波数選択フィルタは、受信分波器周波数選択フィルタを含み、
前記送信ブランチの数は２である
請求項１に記載の信号受信方法。
【請求項４】
前記信号に対して雑音抑圧処理を行うステップは、
各送信ブランチ内における前記雑音抑圧フィルタの抑圧度を計算し制御することによって、前記送信ブランチ内の対応するバンド以外の他のバンドの雑音を抑圧するステップを含む
請求項１に記載の信号受信方法。   
【請求項５】
前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
前記第１の送信ブランチにおける雑音抑圧フィルタの、第２のバンドの周波数範囲内における抑圧度Ａ１は、Ａ１＝ＮＦ１−ＮＦ２＋Ｘ２＋Ｙ１であり、
前記第２の送信ブランチにおける雑音抑圧フィルタの、第１のバンドの周波数範囲内における抑圧度Ａ２は、Ａ２＝ＮＦ２−ＮＦ１＋Ｘ１＋Ｙ２であり、
ここで、ＮＦ１は、第１のバンドリンクの雑音係数であり、第１のバンドが塞がれた場合、ＮＦ１は第１のバンドの利得が減衰された後のリンクの雑音係数であり；ＮＦ２は、第２のバンドリンクの雑音係数であり、第２のバンドが塞がれた場合、ＮＦ２は第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は、０より大きい予め設定された値である
請求項４に記載の信号受信方法。
【請求項６】
前記信号に対して利得処理を行うステップは、
前記ＲＦサンプラの出力電力、及び各送信ブランチの出力電力に基づき、各送信ブランチ内における前記利得可変増幅器の減衰量を計算し制御して、前記ＲＦサンプラの出力電力を利得コールバック閾値と減衰閾値との間に存在させ、且つ各送信ブランチの出力電力の差を予め設定された値より小さくするステップを含む
請求項１〜５のいずれか１項に記載の信号受信方法。
【請求項７】
受信アンテナと、周波数選択フィルタと、少なくとも二つの送信ブランチと、合波器及びＲＦサンプラを含み、前記送信ブランチは順次に接続された利得可変増幅器及び雑音抑圧フィルタを含む信号受信装置において、
受信アンテナは、マルチバンド信号を受信して、周波数選択フィルタに出力するように構成され、
前記周波数選択フィルタの入力端は前記受信アンテナに接続され、前記周波数選択フィルタは出力バンドが異なる複数の出力端を含み、各出力端は対応する送信ブランチの入力端に接続され、前記周波数選択フィルタは、異なるバンドの信号を対応する送信ブランチにそれぞれ出力するように構成され、
前記利得可変増幅器は、信号に対して利得処理を行うように構成され、
前記雑音抑圧フィルタは、信号に対して雑音抑圧処理を行うように構成され、
前記送信ブランチの出力端は前記合波器の入力端に接続され、前記合波器の出力端は前記ＲＦサンプラの入力端に接続され、前記合波器は、複数の送信ブランチの出力信号を合波した後、ＲＦサンプラに出力するように構成され、
前記ＲＦサンプラは、前記合波器から出力されたマルチバンドＲＦ信号をベースバンド信号に変換するように構成される
信号受信装置。
【請求項８】
前記送信ブランチは、低雑音増幅器をさらに含み、
前記低雑音増幅器の入力端は前記周波数選択フィルタの出力端に接続され、前記低雑音増幅器の出力端は前記利得可変増幅器の入力端に接続され、
前記低雑音増幅器は、周波数選択フィルタの出力信号に対して低雑音電力の増幅を行うように構成される
請求項７に記載の信号受信装置。
【請求項９】
前記バンドは二つであり、前記周波数選択フィルタは、受信分波器周波数選択フィルタを含み、前記送信ブランチの数は２である
請求項７に記載の信号受信装置。
【請求項１０】
計算モジュールをさらに含み、
前記計算モジュールは、各送信ブランチ内における前記雑音抑圧フィルタの抑圧度を計算し制御することによって、前記送信ブランチ内の対応するバンド以外の他のバンドを抑制するように構成される
請求項７に記載の信号受信装置。
【請求項１１】
前記バンドは、第１のバンドと第２のバンドとの二つであり、前記送信ブランチの数は２であり、第１の送信ブランチと第２の送信ブランチとの二つであり、第１のバンドは第１の送信ブランチに対応し、第２のバンドは第２の送信ブランチに対応し、
計算モジュールは、
前記第１の送信ブランチにおける雑音抑圧フィルタの、第２のバンドの周波数範囲内における抑圧度Ａ１を、Ａ１＝ＮＦ１−ＮＦ２＋Ｘ２＋Ｙ１に制御し、
前記第２の送信ブランチにおける雑音抑圧フィルタの、第１のバンドの周波数範囲内における抑圧度Ａ２を、Ａ２＝ＮＦ２−ＮＦ１＋Ｘ１＋Ｙ２に制御するように構成され、
ここで、ＮＦ１は、第１のバンドリンクの雑音係数であり、第１のバンドが塞がれた場合、ＮＦ１は第１のバンドの利得が減衰された後のリンクの雑音係数であり；ＮＦ２は第２のバンドリンクの雑音係数であり、第２のバンドが塞がれた場合、ＮＦ２は第２のバンドの利得が減衰された後のリンクの雑音係数であり；Ｘ１は、第１のバンドが塞がれた場合の第１の送信ブランチの利得減衰量であり；Ｘ２は、第２のバンドが塞がれた場合の第２の送信ブランチの利得減衰量であり；Ｙ１とＹ２は、０より大きい予め設定された値である
請求項１０に記載の信号受信装置。
【請求項１２】
制御モジュールをさらに含み、
前記制御モジュールは、前記ＲＦサンプラの出力電力及び各送信ブランチの出力電力に基づき、各送信ブランチ内における前記利得可変増幅器の減衰量を計算し制御して、前記ＲＦサンプラの出力電力を利得コールバック閾値と減衰閾値との間に存在させ、且つ各送信ブランチの出力電力の差を予め設定された値より小さくするように構成される
請求項７〜１１のいずれか１項に記載の信号受信装置。
【請求項１３】
請求項７〜１２のいずれか１項に記載の信号受信装置を含む
通信デバイス。
【請求項１４】
プロセッサに実行されることにより、請求項１から請求項６のいずれか１項に記載の信号受信方法を実現することを特徴とするプログラム。
【請求項１５】
請求項１４に記載のプログラムが記録された記録媒体。
【国際調査報告】
2018524884.tif 000008
2018524884.tif 000009
2018524884.tif 000010
2018524884.tif 000011